(57)【要約】【課題】  検出光学系により形成された自己発光型指標手段の像を直接用いて検出光学系のずれ量を直接測定する様に構成する事で、被写体の条件に影響されることなく安定して、検出手段の検出精度と同一精度で補正量を検出し、各種要因によるずれを良好に補正する。【解決手段】  センサ１０９０には、少なくとも一対のセンサ列１０９１が形成されており、前記センサ列は、被写体の焦点検出状態の検出範囲よりも広い検出範囲を実現しており、視野マスク１０１０近傍に形成された被写体像を再結像レンズ１０７０にてセンサ１０９０上に形成し検出すると共に、有機エレクトロルミネッセンス素子１４００上に構成されている指標手段１４１０をセンサ１０９０にて検出している。【選択図】  図１
2006243349.tif 000002
【特許請求の範囲】
【請求項１】
撮像光学系により予定結像面に形成された画像を、再結像光学系を用いて検出手段に結像する事で前記撮像光学系の焦点状態を検出する焦点検出手段で、前記撮像光学系の予定結像面近傍に配置された指標手段を前記検出手段により検出する事により再結像光学系の補正量を生成し、焦点調節状態の調節量の補正を行うものにおいて、前記指標手段を自己発光型の指標手段で構成した事を特徴とする焦点検出装置。
【請求項２】
前記指標手段は、有機エレクトロルミネッセンス素子にて構成されている事を特徴とする請求項１に記載の焦点検出装置。
【請求項３】
前記指標手段は、ＬＥＤ素子にて構成されていることを特徴とする請求項１に記載の焦点検出装置。
【請求項４】
前記指標手段は、撮像光学系に対して遮光された位置に配置されている事を特徴とする請求項１〜３の何れかに記載の焦点検出装置。
【請求項５】
前記指標手段は、再結像光学系よりも予定結像面側に配置されていることを特徴とする請求項１〜４の何れかに記載の焦点検出装置。
【請求項６】
前記指標手段は、検出手段による指標手段検出時のみ表示されている事を特徴とする請求項１〜５の何れかに記載の焦点検出装置。
【請求項７】
前記指標手段は、透過型の有機エレクトロルミネッセンスで構成されており、視野内に指標を配置している事を特徴とする請求項１、２、６の何れかに記載の焦点検出装置。
【請求項８】
前記指標手段は、被写体像に応じて指標手段の表示位置を変化させる指標表示位置変更手段を持つことを特徴とする請求項１、２、５〜７の何れかに記載の焦点検出装置。
【請求項９】
前記指標手段は、指標手段表示範囲の背景の輝度に合わせて、指標像を変化させる指標表示変更手段を有していることを特徴とする請求項１〜８に記載の焦点検出装置。
【請求項１０】
前記検出手段は、前記撮像光学系の焦点状態を検出する第一の検出手段と前記指標手段の投影像を検出する第二の検出手段とで構成されていることを特徴とする請求項１〜６、８、９の何れかに記載の焦点検出装置。
【請求項１１】
前記指標手段の検出は、撮像装置の電源投入時に行われることを特徴とする請求項１〜１０の何れかに記載の焦点検出装置。
【請求項１２】
前記指標手段の検出は、焦点検出動作時に行われることを特徴とする請求項１〜１０の何れかに記載の焦点検出装置。
【請求項１３】
前記指標手段の検出は、前記撮像光学系の駆動中に行われる様に構成されていることを特徴とする請求項１〜１０の何れかに記載の焦点検出装置。
【請求項１４】
前記指標手段の検出は、焦点検出動作初期に行われる様に構成されていることを特徴とする請求項１〜１０の何れかに記載の焦点検出装置。
【請求項１５】
前記指標手段の検出は、被写体像の撮像終了後、焦点検出可能状態に復帰する復帰動作時に行われることを特徴とする請求項１〜１０の何れかに記載の焦点検出装置。
【請求項１６】
前記指標手段の検出は、撮像装置が被写体像を撮像中に行われることを特徴とする請求項１〜１０の何れかに記載の焦点検出装置。
【請求項１７】
前記指標手段の検出は、選択された視野に対してのみ実行されることを特徴とする請求項１〜１６の何れかに記載の焦点検出装置。
【請求項１８】
前記指標手段の検出は、前回の指標手段の検出から所定時間経過している場合に実行されることを特徴とする請求項１〜１７の何れかに記載の焦点検出装置。
【請求項１９】
本撮像装置は、温度検出手段が存在しており、前記指標手段の検出は、前回の補正値検出時の温度との差が所定値以上である場合に実行されることを特徴とする請求項１〜１８の何れかに記載の焦点検出装置。
【請求項２０】
請求項１〜１９の何れかの焦点検出装置を具備したことを特徴とする撮像装置。
【発明の詳細な説明】
【技術分野】
【０００１】
本発明は、撮像光学系の予定結像面に配置した自己発光型の指標手段により形成された画像を、再結像光学系により検出し、予定結像面上の画像の状態を検出するものにおける状態検出量の補正に関するものである。
【背景技術】
【０００２】
撮像光学系の異なる領域を通過した光束による像を比較する事により、撮像光学系の焦点調節状態を検出する焦点検出装置においては、各領域の像を形成する再結像光学系のズレに伴い、撮像光学系の状態の検出量に誤差が生じてしまっていた。
【０００３】
そこで、本出願人により、特許文献１にて、視野絞りなど、検出手段に存在している遮光部材で指標手段を構成する、或いは、光学手段上に設ける場合にも、従来から存在している遮光部材を兼用する事が可能となる様にし、検出光学系により形成された遮光部材の画像を直接用いて検出光学系のずれ量を直接測定する様に構成することで、検出手段の検出精度と同一精度で補正量を検出することが出来るように構成したものが提案されている。
【特許文献１】特開２００２−３４１２３１号公報
【発明の開示】
【発明が解決しようとする課題】
【０００４】
しかしながら、前記従来例では、検出手段により、視野絞りなどの遮光手段を検出しているので、検出部に明度の低い被写体がかかってしまった場合には、指標手段を誤検出してしまい、誤った補正量を取得する事で精度の悪化を招く事があった。また、夜景の様に全体が暗い場合には、指標手段の検出ができず、全く補正が出来なくなることがあった。
【０００５】
（発明の目的）
本発明の第１の目的は、検出する被写体の条件によらず、焦点検出結果に生ずるずれを正確に補正に補正する事が出来る焦点検出装置及び撮像装置を提供しようとするものである。
【０００６】
本発明の第２の目的は、指標部材を撮像光路に影響が及ばないような位置に配置することができる焦点検出装置及び撮像装置を提供しようとするものである。
【０００７】
本発明の第３の目的は、再結像光学系の構成部品により生ずるすべてのずれを補正することができる焦点検出装置及び撮像装置を提供しようとするものである。
【０００８】
本発明の第４の目的は、補正量検出のための指標手段が焦点検出に対しておよぼす影響を排除し、補正量の取得時、非取得時で指標手段の状態を変化させることで、指標手段の配置の自由度の向上を図ることを可能とすると共に、指標手段表示のためのエネルギの低減および、指標手段の長寿命化をはかることができる焦点検出装置及び撮像装置を提供しようとするものである。
【０００９】
本発明の第５の目的は、補正量検出のために専用の検出手段を持たないことで、焦点検出結果を補正する補正量の精度を向上すると共に、検出手段の小型化を図ることができる焦点検出装置及び撮像装置を提供しようとするものである。
【００１０】
本発明の第６の目的は、指標手段の表示位置を変化させることで、被写体像と指標像の位置ずれを排除し正確な補正を行うことができる焦点検出装置及び撮像装置を提供しようとするものである。
【００１１】
本発明の第７の目的は、指標手段表示範囲の背景の輝度に合わせて指標像を変化させることで、検出する指標像が適正状態で検出することができる焦点検出装置及び撮像装置を提供しようとするものである。
【００１２】
本発明の第８の目的は、焦点検出結果に対して、補正量検出のための指標手段表示の影響が生ずることがない焦点検出装置及び撮像装置を提供しようとするものである。
【００１３】
本発明の第９の目的は、補正量の検出時間が撮像操作に対する遅延時間とならないようにすることができる焦点検出装置及び撮像装置を提供しようとするものである。
【００１４】
本発明の第１０の目的は、急激な環境変化などに対しても、焦点検出結果に対して適応する補正量を正確なものとすることができる焦点検出装置及び撮像装置を提供しようとするものである。
【００１５】
本発明の第１１の目的は、撮像光学系の駆動中に指標手段の検出が行われることにより、撮像光学系駆動までの時間を短縮し、操作開始から撮像光学系駆動終了までの時間の短縮を図ることができる焦点検出装置及び撮像装置を提供しようとするものである。
【００１６】
本発明の第１２の目的は、最初に補正量を取得するように構成する事で、焦点検出動作時の指標部材の検出を無くし、検出時間の短縮を図ることができる焦点検出装置及び撮像装置を提供しようとするものである。
【００１７】
本発明の第１３の目的は、撮影動作中に次の撮影動作のための指標手段の検出を行うことにより、毎回、指標手段の検出を行うと共に連続撮影時の指標手段の検出時間を焦点検出時間から排除し、撮影間隔の短縮を図ることができる焦点検出装置及び撮像装置を提供しようとするものである。
【００１８】
本発明の第１４の目的は、必要な部分の補正量のみを検出する様に構成することにより、撮像操作に対する遅延時間を最低限に低減することができる焦点検出装置及び撮像装置を提供しようとするものである。
【００１９】
本発明の第１５の目的は、補正量の前回検出時に対する経過時間、環境などの変化により、指標手段の検出を行うことで、無駄な補正量検出動作を排除することができる焦点検出装置及び撮像装置を提供しようとするものである。
【課題を解決するための手段】
【００２０】
しかしながら、本発明では、目的を達成するために以下のような構成を採っている。
【００２１】
上記第１の目的を達成するために、請求項１に記載の発明は、撮像光学系により予定結像面に形成された画像を、再結像光学系を用いて検出手段に結像する事で前記撮像光学系の焦点状態を検出する焦点検出手段で、前記撮像光学系の予定結像面近傍に配置された指標手段を前記検出手段により検出する事により再結像光学系の補正量を生成し、焦点調節状態の調節量の補正を行うものにおいて、前記指標手段を自己発光型の指標手段で構成した事を特徴とする焦点検出装置とするものである。
【００２２】
上記第２の目的を達成するために、請求項４に記載の発明は、前記指標手段は、撮像光学系に対して遮光された位置に配置されている事を特徴とする請求項１〜３の何れかに記載の焦点検出装置とするものである。
【００２３】
上記第３の目的を達成するために、請求項５に記載の発明は、前記指標手段は、再結像光学系よりも予定結像面側に配置されていることを特徴とする請求項１〜４の何れかに記載の焦点検出装置とするものである。
【００２４】
上記第４の目的を達成するために、請求項６に記載の発明は、前記指標手段は、検出手段による指標手段検出時のみ表示されている事を特徴とする請求項１〜５の何れかに記載の焦点検出装置とするものである。
【００２５】
上記第５の目的を達成するために、請求項７に記載の発明は、前記指標手段は、透過型の有機エレクトロルミネッセンスで構成されており、視野内に指標を配置している事を特徴とする請求項１、２、６の何れかに記載の焦点検出装置とするものである。
【００２６】
上記第６の目的を達成するために、請求項８に記載の発明は、前記指標手段は、被写体像に応じて指標手段の表示位置を変化させる指標表示位置変更手段を持つことを特徴とする請求項１、２、５〜７の何れかに記載の焦点検出装置とするものである。
【００２７】
上記第７の目的を達成するために、請求項９に記載の発明は、前記指標手段は、指標手段表示範囲の背景の輝度に合わせて、指標像を変化させる指標表示変更手段を有していることを特徴とする請求項１〜８に記載の焦点検出装置とするものである。
【００２８】
上記第８の目的を達成するために、請求項１０に記載の発明は、前記検出手段は、前記撮像光学系の焦点状態を検出する第一の検出手段と前記指標手段の投影像を検出する第二の検出手段とで構成されていることを特徴とする請求項１〜６、８、９の何れかに記載の焦点検出装置とするものである。
【００２９】
上記第９の目的を達成するために、請求項１１に記載の発明は、前記指標手段の検出は、撮像装置の電源投入時に行われることを特徴とする請求項１〜１０の何れかに記載の焦点検出装置とするものである。
【００３０】
上記第１０の目的を達成するために、請求項１２に記載の発明は、前記指標手段の検出は、焦点検出動作時に行われることを特徴とする請求項１〜１０の何れかに記載の焦点検出装置とするものである。
【００３１】
上記第１１の目的を達成するために、請求項１３に記載の発明は、前記指標手段の検出は、前記撮像光学系の駆動中に行われる様に構成されていることを特徴とする請求項１〜１０の何れかに記載の焦点検出装置とするものである。
【００３２】
上記第１２の目的を達成するために、請求項１４に記載の発明は、前記指標手段の検出は、焦点検出動作初期に行われる様に構成されていることを特徴とする請求項１〜１０の何れかに記載の焦点検出装置とするものである。
【００３３】
上記第１３の目的を達成するために、請求項１５に記載の発明は、前記指標手段の検出は、被写体像の撮像終了後、焦点検出可能状態に復帰する復帰動作時に行われることを特徴とする請求項１〜１０の何れかに記載の焦点検出装置であり、請求項１６に記載の発明は、前記指標手段の検出は、撮像装置が被写体像を撮像中に行われることを特徴とする請求項１〜１０の何れかに記載の焦点検出装置とするものである。
【００３４】
上記第１４の目的を達成するために、請求項１７に記載の発明は、前記指標手段の検出は、選択された視野に対してのみ実行されることを特徴とする請求項１〜１６の何れかに記載の焦点検出装置とするものである。
【００３５】
上記第１５の目的を達成するために、請求項１８に記載の発明は、前記指標手段の検出は、前回の指標手段の検出から所定時間経過している場合に実行されることを特徴とする請求項１〜１７の何れかに記載の焦点検出装置とするものであり、請求項１９に記載の発明は、本撮像装置は、温度検出手段が存在しており、前記指標手段の検出は、前回の補正値検出時の温度との差が所定値以上である場合に実行されることを特徴とする請求項１〜１８の何れかに記載の焦点検出装置とするものである。
【００３６】
また、上記第１〜１５の何れかの目的を達成するために、請求項２０に記載の発明は、請求項１〜１９の何れかの焦点検出装置を具備した撮像装置とするものである。
【発明の効果】
【００３７】
以上に説明してきたように、請求項１又は２０に記載の発明によれば、検出する被写体の条件によらず、焦点検出結果に生ずるずれを正確に補正に補正する事が出来る焦点検出装置及び撮像装置を提供できるものである。
【００３８】
また、請求項４又は２０に記載の発明によれば、指標部材を撮像光路に影響が及ばないような位置に配置することができる焦点検出装置及び撮像装置を提供できるものである。
【００３９】
また、請求項５又は２０に記載の発明によれば、再結像光学系の構成部品により生ずるすべてのずれを補正することができる焦点検出装置及び撮像装置を提供できるものである。
【００４０】
また、請求項６又は２０に記載の発明によれば、補正量検出のための指標手段が焦点検出に対しておよぼす影響を排除し、補正量の取得時、非取得時で指標手段の状態を変化させることで、指標手段の配置の自由度の向上を図ることを可能とすると共に、指標手段表示のためのエネルギの低減および、指標手段の長寿命化をはかることができる焦点検出装置及び撮像装置を提供できるものである。
【００４１】
また、請求項７又は２０に記載の発明によれば、補正量検出のために専用の検出手段を持たないことで、焦点検出結果を補正する補正量の精度を向上すると共に、検出手段の小型化を図ることができる焦点検出装置及び撮像装置を提供できるものである。
【００４２】
また、請求項８又は２０に記載の発明によれば、指標手段の表示位置を変化させることで、被写体像と指標像の位置ずれを排除し正確な補正を行うことができる焦点検出装置及び撮像装置を提供できるものである。
【００４３】
また、請求項９又は２０に記載の発明によれば、指標手段表示範囲の背景の輝度に合わせて指標像を変化させることで、検出する指標像が適正状態で検出することができる焦点検出装置及び撮像装置を提供できるものである。
【００４４】
また、請求項１０又は２０に記載の発明によれば、焦点検出結果に対して、補正量検出のための指標手段表示の影響が生ずることがない焦点検出装置及び撮像装置を提供できるものである。
【００４５】
また、請求項１１又は２０に記載の発明によれば、補正量の検出時間が撮像操作に対する遅延時間とならないようにすることができる焦点検出装置及び撮像装置を提供できるものである。
【００４６】
また、請求項１２又は２０に記載の発明によれば、急激な環境変化などに対しても、焦点検出結果に対して適応する補正量を正確なものとすることができる焦点検出装置及び撮像装置を提供できるものである。
【００４７】
また、請求項１３又は２０に記載の発明によれば、撮像光学系の駆動中に指標手段の検出が行われることにより、撮像光学系駆動までの時間を短縮し、操作開始から撮像光学系駆動終了までの時間の短縮を図ることができる焦点検出装置及び撮像装置を提供できるものである。
【００４８】
また、請求項１４又は２０に記載の発明によれば、最初に補正量を取得するように構成する事で、焦点検出動作時の指標部材の検出を無くし、検出時間の短縮を図ることができる焦点検出装置及び撮像装置を提供できるものである。
【００４９】
また、請求項１５、１６又は２０に記載の発明によれば、撮影動作中に次の撮影動作のための指標手段の検出を行うことにより、毎回、指標手段の検出を行うと共に連続撮影時の指標手段の検出時間を焦点検出時間から排除し、撮影間隔の短縮を図ることができる焦点検出装置及び撮像装置を提供できるものである。
【００５０】
また、請求項１７又は２０に記載の発明によれば、必要な部分の補正量のみを検出する様に構成することにより、撮像操作に対する遅延時間を最低限に低減することができる焦点検出装置及び撮像装置を提供できるものである。
【００５１】
また、請求項１８〜２０に記載の発明によれば、補正量の前回検出時に対する経過時間、環境などの変化により、指標手段の検出を行うことで、無駄な補正量検出動作を排除することができる焦点検出装置及び撮像装置を提供できるものである。
【発明を実施するための最良の形態】
【００５２】
（第一の実施例）
以下に、本発明の実施例を示す。
【００５３】
図１は、本発明の検出装置が組み込まれる撮像装置の構成を示す図である。
【００５４】
図１において、２００は、被写体を撮像装置の撮像手段に投影する撮像光学系であり、２１０は、撮像光学系２００を取り付ける撮像装置である。
【００５５】
２２０は、撮像光学系２００により、被写体像が投影される撮像手段であり、２３０は、撮像光学系からの光束を後述の観察光学系に分離する主ミラーであり、主ミラー２３０を撮像光路外に待避可能に主ミラーヒンジ軸２３１にて保持されている。
【００５６】
２４０は、撮像光学系２００からの光束を焦点検出装置に導くサブミラーである。サブミラー２４０は、主ミラー２３０に対して、回動可能に保持するサブミラーヒンジ軸２４１にて保持されている。
【００５７】
３００は、撮像手段で撮像する画像を観察する観察光学系であり、観察光学系３００は、正立正像光学系である正立正像光学系３１０と接眼レンズ３２０、焦点板３３０で構成されている。
【００５８】
４００は、撮像光学系の焦点状態の検出を行う検出手段である焦点検出装置である。
【００５９】
図２は本発明の実施の一形態に係る撮像装置の電気的構成を示すブロック図である。
【００６０】
図２において、１はカメラ全体の制御を司るマイクロプロセッサ、２は測光回路、３は測距回路、４はシャッタ制御回路、５は絞り制御回路であり、何れも公知のものである。
【００６１】
６（ＳＷ１）は測光・測距開始用のスイッチであり、７（ＳＷ２）は撮影動作開始用のスイッチであり、これらスイッチはレリーズボタンの第１ストローク及び第２ストロークによりオンするものである。８はメインスイッチ、９は振れ検出回路、１１はフィルムが装填されるフィルム室の開閉状態を検知する為のフィルム室蓋スイッチ、１２は後述するフィルムカートリッジ１６の情報表示部１７の情報を読み取る為のフィルム情報読取回路、１３はシャッタ秒時や絞り値の表示やフィルムカートリッジの有無、フィルム取出しの警告等を行う表示器やその駆動回路を具備した表示装置、１４（ＲＥＷ）はフィルムの途中巻戻し開始を指示する途中巻戻しスイッチである。１５はフィルムの巻き上げや巻き戻しを行う為のモータ駆動回路である。詳しくは、フィルムＦをフィルム巻取りスプール１９により巻き取り、又フィルムカートリッジ１６内のフィルム供給スプールをフィルム巻き戻し方向に駆動してフィルムＦをフィルムカートリッジ１６内に巻戻す働きを持つ。
【００６２】
１７は、フィルムカートリッジ１６に設けられたフィルム情報表示部である。１８はフィルムＦに形成されたパーフォレーションを検出するパーフォレーション検出回路であり、例えばフォトリフレクタの投光部と受光部で構成され、フィルムのパーフォレーションの有無を検出する。２０はピント合わせの為のレンズ駆動回路である。２１は、焦点補正量を検出するための指標手段を表示する指標表示回路であり、２４は、指標手段の表示位置を変化させる指標表示位置変更手段であるところの指標表示位置回路であり、２５は、指標手段表示範囲の背景の輝度に合わせて指標像を変化させる指標表示変更手段であるところの指標表示輝度回路である。２２は指標手段の検出像から補正量を演算する補正量演算回路であり、２３は、温度を計測するための温度検出回路である。
【００６３】
図３及び図４は、撮像装置を構成する構成部品の一つである焦点検出装置の構成を示している。
【００６４】
図３は、本構成を含む焦点検出装置の分解斜視図であり、図４は、本構成を含む焦点検出ユニットの赤外カットフィルター装着図であり、本構成を含む焦点検出装置の各構成部材の関係について、詳細に以下に示す。
【００６５】
本体ブロック１１２０には、各種焦点検出ユニット構成部材の位置決めを行い、そして、固定するための各種位置決め形状、及び、固定形状が備えられている。赤外カットフィルター１０５０は、本体ブロック１１２０に備えられている赤外カットフィルター位置決め固定部１１２１に対して装着されることにより、本体ブロック１１２０に対して位置決めされており、赤外カットフィルター位置決め固定部１１２１の周囲に設けられている複数の赤外カットフィルター接着部１１２２にて、赤外カットフィルター１０５０は、本体ブロック１１２０に対して接着固定されている。遮光板１０３０は、遮光板１０３０に設けられている遮光板位置決め固定部１０３１と、本体ブロック１１２０に設けられている遮光板１０３０を位置決め固定するための遮光板位置決め固定部１１２３により、本体ブロック１１２０に対して位置決めされて、本体ブロック１１２０の内部に装着されており、本体ブロック１１２０に対して接着固定され、分割フィールドレンズ１０２０を通過した各測距視野の有効光束以外の不要な光束が、他の測距視野のセンサに対して入射することを防止する壁１０３２、及び、壁１０３３を持っており、壁１０３２と壁１０３３の間には、測距光束を通過させるための開口部１０３４が、形成されている。分割フィールドレンズ１０２０は、各種調整が行われた後、本体ブロック１１２０に設けられている分割フィールドレンズ固定部１１２４により、本体ブロック１１２０に対して接着固定されている。
【００６６】
視野マスク１０１０は、視野マスク１０１０に設けられている一対の視野マスク位置決め用嵌合軸１０１１と、本体ブロック１１２０に設けられている視野マスク１０１０の取付面内の平面移動を規制する視野マスク位置決め嵌合穴１１２５と視野マスク位置決め嵌合穴１１２５に対する回転移動を規制する視野マスク位置決め嵌合長穴１１２６からなる一対の嵌合穴により、本体ブロック１１２０に対して位置決めされており、視野マスク１０１０に設けられている一対の視野マスク固定用弾性爪部１０１２を、本体ブロック１１２０に設けられている一対の視野マスク固定用穴部１１２７に対して係合させることにより、視野マスク１０１０は、本体ブロック１１２０に対して固定されており、また、視野マスク１０１０には、焦点検出ユニットをカメラに取り付けた後は、視野マスク１０１０に設けられている一対の視野マスク固定用弾性爪部１０１２と本体ブロック１１２０に設けられている一対の視野マスク固定用穴部１１２７の係合が外れた場合においても、視野マスク１０１０が、本体ブロック１１２０から浮き上がることがないようにするために、視野マスク１０１０には、視野マスク浮き防止部１０１３が設けられている。
【００６７】
ここで、視野マスク浮き防止部１０１３はカメラのミラーボックスと焦点検出装置の隙間を減少させる役目も持っている。
【００６８】
１０１４は、視野マスク１０１０に設けられている視野マスク開口部であり、検出範囲を規定している。
【００６９】
１４００は、指標手段を表示するための有機エレクトロルミネッセンス素子であり、指標検出時には、指標手段として１４１０が表示される様に構成されている。
【００７０】
図３においては、指標手段１４１０が表示されている状態をしめしている。
【００７１】
遮光シート１１１０は、遮光シートに設けられている遮光シート位置決め用の一対の穴１１１１と、視野マスク１０１０に設けられている一対の遮光シート位置決め用形状１０１４により位置決めされて、視野マスク１０１０と本体ブロック１１２０により挟まれることにより、本体ブロック１１２０に対して固定されている。
【００７２】
ミラー１０４０は、本体ブロック１１２０に設けられているミラー位置決め固定部１１３４により位置決めされて、本体ブロック１１２０に対して接着固定されている。ミラー１０４０の表面には、各測距視野に対する不要な光束を遮光するためのマスク形状を持つ遮光マスク部１０４１が付加されており、焦点検出光束をセンサに対して折り曲げる際に、遮光板１０３０とミラー１０４０の隙間を通過する不要な光束を遮光しており、遮光マスク部１０４１は、周辺測距視野のラインセンサのセンサ列方向に対して、略平行に形成されており、測距光束の光束分割方向には遮光パターンが存在していないので、パターンエッジ部での反射によるゴーストが発生しなくなっている。再結像レンズ１０７０は、一対の再結像レンズの嵌合軸１０７１により、本体ブロック１１２０の再結像レンズ位置決め角穴１１３１と再結像レンズ位置決め長穴１１３２からなる一対の嵌合穴で位置決めされており、本体ブロック１１２０に対して接着固定されている。多孔絞り１０６０は、再結像レンズ１０７０に設けられている再結像レンズの嵌合軸１０７１に対応している位置決め部１０６１により、再結像レンズ１０７０に対して位置決めされており、再結像レンズ１０７０と本体ブロック１１２０に挟まれることで、本体ブロック１１２０に対して保持されている。
【００７３】
センサ支持部材１１００は、センサ支持部材１１００に設けられている位置決め調整するための、一対の同一中心軸を持つ球形状のセンサ支持部材の本体ブロック突き当て形状１１０１と、本体ブロック１１２０に設けられているＲ１及びＲ２の複数の曲率により構成されるセンサ支持部材支持形状１１５１により、本体ブロックのセンサ支持部材支持形状１１５１の曲率Ｒ２及び、センサ支持部材の本体ブロック突き当て形状１１０１の曲率Ｒ１を中心として揺動可能に位置決めされることにより、複数の軸に対する傾き調整が可能であり、センサ傾き調整など各種調整が行われた後に、本体ブロック１１２０に対して接着固定されている。
【００７４】
センサ１０９０は、センサホルダー１０８０に対してあらかじめ接着固定しておく事により、センサホルダー１０８０とセンサ１０９０が一体になったセンサユニット１２００をとなる。
【００７５】
センサユニット１２００は、本体ブロック１１２０に対してセンサ支持部材１１００を介して保持し、センサ傾き調整及び位置調整などの各種調整が行われた後、センサ支持部材１１００に対して接着固定されている。センサホルダー１０８０には、センサ支持部材１１００の接着面に、接着剤を導くための溝が形成されている。
【００７６】
図５は、本発明の焦点検出装置の原理を示す図である。
【００７７】
図５においては、一対の再結像光学系による焦点検出装置が示されている。図５には、図３及び図４の視野マスク１０１０、フィールドレンズ１０２０、多孔絞り１０６０、再結像レンズ１０７０、センサ１０９０が簡略化した形で示されている。
【００７８】
１４００は、有機エレクトロルミネッセンス素子である。
【００７９】
本実施例にて用いるセンサ１０９０には、少なくとも一対のセンサ列１０９１が形成されており、前記センサ列は、被写体の焦点検出状態の検出範囲よりも広い検出範囲を実現しており、視野マスク１０１０近傍に形成された被写体像を再結像レンズ１０７０にてセンサ１０９０上に形成し検出すると共に、視野マスク１０１０近傍に配置されている、有機エレクトロルミネッセンス素子１４００の指標手段１４１０を指標検出時に表示する事により、センサ１０９０上に指標の像を形成しセンサ１０９０にて検出している。
【００８０】
前記センサ列１０９１を、視野マスク上に逆投影した像が１０１１となり、センサ列は有機エレクトロルミネッセンス素子１４００上の指標手段１４１０を検出している。
【００８１】
本実施例では、上記有機エレクトロルミネッセンス素子の指標手段の検出により、焦点検出装置の指標手段の状態の検出を行い、あらかじめ設定されている指標手段の設定値と、指標手段の検出値より補正値を求め、焦点検出装置のズレ量を求め、焦点検出量の補正を行うようにしている。
【００８２】
図６は、本発明の焦点検出装置の検出手段であるセンサの一例を示す図である。
【００８３】
図６の、センサ２０００は、一対のセンサ列２０１０が形成されている場合を示している。センサ列２０１０において、２０３０は、撮像光学系による被写体像の状態を検出する焦点状態検出領域であり、２０２０は、焦点検出装置の状態の変化を検出し焦点検出領域２０３０の検出結果を補正する補正量を検出する補正量検出領域であり、これらの領域により構成されている。２０４０は、焦点検出装置の検出範囲を規定する視野マスク像であり、視野マスク１０１０による被写体像の投影範囲を示しており、視野マスク像２０４０の外には被写体像は形成されないように構成している。２０５０は、指標手段により形成される指標像である。
【００８４】
本実施例の焦点検出装置においては、補正量検出領域は、図６にて示している様に、センサ列を視野マスクにより規定した検出視野外まで延長することで、焦点検出装置の測距範囲を規定している視野マスク像２０４０の外部についても検出する様に構成している。
【００８５】
図６において、補正量検出領域２０２０は、視野マスク像２０４０の外部に設定されているため、常に一定の画像を得ることが可能となり、センサ２０００上の補正量検出領域２０２０に対応する位置に指標手段１４１０の像２０５０を表示することにより、被写体の条件によらず常に一定の指標手段の像を得ることが可能となっている。
【００８６】
有機エレクトロルミネッセンス素子１４００は、焦点検出装置に対して固定されているため、常にセンサ２０００に対して一定の指標手段として用いる事が可能となっている。
【００８７】
図６においては、一対のセンサ列を持つセンサについて説明したが、センサ列を複数対持つセンサについても適応できるのは言うまでもない。
【００８８】
図７は、本発明の焦点検出装置の検出手段であるセンサの別の一例を示す図である。
【００８９】
図７の、センサ２０００は、一対のセンサ列２０１０が形成されている場合を示している。センサ列２０１０において、撮像光学系による被写体像の状態を検出する焦点状態検出領域、及び、焦点検出装置の状態の変化を検出し検出結果を補正する補正量を検出する補正量検出領域は、特に分けて規定されているのではなく、検出時の状況に応じて、センサ列の役割を変更する様に構成している。
【００９０】
２０４０は、焦点検出装置の検出範囲を規定する視野マスク像であり、視野マスク１０１０による被写体像の投影範囲を示しており、視野マスク像２０４０の外には被写体像は形成されないように構成している。２０５０は、指標手段により形成される指標像である。
【００９１】
本実施例の焦点検出装置においては、焦点状態検出領域と補正量検出領域は、同一であり、図７にて示している様に、被写体画像に対して指標像２０５０を重ね合わせた状態で、被写体画像及び指標画像を検出する様に構成している。
【００９２】
図７において、補正量検出領域と焦点状態検出領域は、同一領域に設定されているため、センサの有効活用が可能となっている。
【００９３】
有機エレクトロルミネッセンス素子１４００は、焦点検出装置に対して固定されているため、常にセンサ２０００に対して一定の指標手段として用いる事が可能となっている。
【００９４】
図７においては、一対のセンサ列を持つセンサについて説明したが、センサ列を複数対持つセンサについても適応できるのは言うまでもない。
【００９５】
（第二の実施例）
基本構成は第一の実施例と同様であるので省略する。
【００９６】
図８は、指標手段としてＬＥＤ素子を配置した場合の焦点検出装置の原理を説明する光路展開図であり、図９は、指標手段としてＬＥＤ素子を配置した場合の焦点検出装置の原理を説明する断面図である。
【００９７】
図８及び図９においては、一対の再結像光学系による焦点検出装置が示されている。図８及び図９には、図３及び図４の視野マスク１０１０、フィールドレンズ１０２０、多孔絞り１０６０、再結像レンズ１０７０、センサ１０９０が簡略化した形で示されている。
【００９８】
１５００は、ＬＥＤ素子であり、有機エレクトロルミネッセンス素子１４００に換えて配置されている。
【００９９】
本実施例にて用いるセンサ１０９０には、少なくとも一対のセンサ列１０９１が形成されており、前記センサ列は、被写体の焦点検出状態の検出範囲よりも広い検出範囲を実現しており、視野マスク１０１０近傍に形成された被写体像を再結像レンズ１０７０にてセンサ１０９０上に形成し検出すると共に、視野マスク１０１０近傍に配置されている、ＬＥＤ素子１５００を指標検出時に表示する事により、センサ１０９０上に指標の像を形成しセンサ１０９０にて検出している。
【０１００】
前記センサ列１０９１を、視野マスク上に逆投影した像が１０１１となり、センサ列はＬＥＤ素子１５００の像を検出している。
【０１０１】
本実施例では、上記ＬＥＤ素子の検出により、焦点検出装置の指標手段の状態検出を行い、あらかじめ設定されている指標手段の設定値と、指標手段の検出値より補正値を求め、焦点検出装置のズレ量を求め、焦点検出量の補正を行うようにしている。
【０１０２】
以下に、本発明の補正量検出動作について示す。
【０１０３】
（第一の補正量検出動作）
図１０は、本実施例の撮像装置の焦点検出割り込み処理を示すフローチャートである。
【０１０４】
図１０においては、被写体像、及び、指標手段の蓄積をそれぞれ独立して行う場合を示しおり、まず、ステップ１０１０（以下Ｓ１０１０と示す）において、撮像装置に存在している測距視野の内、検出に使用する様に設定されている視野の抽出を行っている。
【０１０５】
Ｓ１０２０においては、Ｓ１０１０において抽出した測距視野に対応した指標手段の表示を開始する。Ｓ１０３０においては、焦点検出装置により、被写体像及び指標手段の像の取得を開始する。Ｓ１０４０においては、取得している像の中で、指標手段の像の検出が完了しているか否かの判定を行っている。Ｓ１０４０において、指標手段の像の取得が完了していると判定された場合には、次のＳ１０５０に進む。Ｓ１０５０においては指標手段の像の蓄積を停止する。そして、Ｓ１０６０において、指標手段の表示の停止を行い、Ｓ１０７０に進む。
【０１０６】
Ｓ１０４０において、指標手段の像の検出がまた終了していないと判定された場合には、Ｓ１０７０に進む。
【０１０７】
Ｓ１０７０においては、被写体像の検出が終了しているが否かの判定を行っている。Ｓ１０７０において、被写体像の検出が完了していないと判定された場合には、Ｓ１０４０にもどり、再度、指標手段の像が完了しているか否かの判定を行う。Ｓ１０７０において、被写体像の検出が終了していると判定された場合には、Ｓ１０８０に進む。Ｓ１０８０においては、被写体像の蓄積の停止を行い、次のＳ１０９０に進む。
【０１０８】
Ｓ１０９０においては、全検出像の検出が終了しているか否かの判定を行っている。Ｓ１０９０において、まだ全検出像の検出が完了してないと判定された場合には、Ｓ１０４０にもどり、再度、指標手段の像が完了しているか否かの判定を行う。Ｓ１０９０において、全検出像の検出が完了していると判定された場合には、Ｓ１１００に進む。Ｓ１１００においては、指標像の読み出しを行い、次のＳ１１１０においては被写体像の読み出しを行う。Ｓ１１２０においては、読み出した指標像より補正量の演算を行い、Ｓ１１３０においては、読み出した被写体像より焦点ずれ量の演算処理を行う。
【０１０９】
Ｓ１１４０においては、Ｓ１１２０で演算した補正量とＳ１１３０で求めた焦点ずれ量より、実際のずれ量であるレンズ駆動量の演算処理を行う。Ｓ１１５０においては、撮像装置の焦点状態が合焦状態であるか否かの判定を行っている。Ｓ１１５０おいて、合焦状態では無いと判定された場合には、Ｓ１１６０に進む。Ｓ１１６０においては、撮像光学系の駆動を行い、Ｓ１０２０に戻り、再度焦点状態の検出を行う。
【０１１０】
Ｓ１１５０において、合焦状態であると判定された場合には、状態を保持し、メインルーチンに復帰する。
【０１１１】
（第二の補正量検出動作）
図１１は、本実施例の撮像装置における指標手段の表示を行う焦点検出割り込み処理を示すフローチャートである。
【０１１２】
図１１においては、センサ蓄積中に指標手段の表示を停止する場合を示しており、Ｓ２０１０において、撮像装置に存在している測距視野の内、検出に使用する様に設定されている視野の抽出を行っている。
【０１１３】
Ｓ２０２０においては、Ｓ２０１０において抽出した測距視野に対応した指標手段の表示を開始する。Ｓ２０３０においては、焦点検出装置により、センサの蓄積制御を開始する。Ｓ２０４０においては、取得している像の中で、指標手段の像に該当する範囲の信号レベルが所定値以上であるか否かの判定を行っている。Ｓ２０４０において、指標手段の像の信号レベルが所定値以上であると判定された場合には、次のＳ２０５０に進む。Ｓ２０５０においては指標手段の表示の停止を行い、Ｓ２０６０に進む。
【０１１４】
Ｓ２０４０において、指標手段の像の信号レベルが所定値に達していないと判定された場合には、Ｓ２０６０に進む。
【０１１５】
Ｓ２０６０においては、被写体像のレベルが所定値以上であるか否かの判定を行っている。Ｓ２０６０において、被写体像のレベルが所定値に達していないと判定された場合には、Ｓ２０４０に戻り、再度、指標手段の像レベルの判定を行う。Ｓ２０６０において、被写体像の検出が終了していると判定された場合には、Ｓ２０７０に進む。Ｓ２０７０においては、被写体像の蓄積の停止を行い、次のＳ２０７５に進む。
【０１１６】
Ｓ２０７５においては、すべての検出像の取得が終了しているか否かの判定を行ってており、Ｓ２０７５において、検出像の取得が完了していないと判定された場合には、Ｓ２０４０にもどり、残りのレベル判定を実行する。Ｓ２０７５において、検出像の取得がすべて完了していると判定された場合には、Ｓ２０８０に進む。
【０１１７】
Ｓ２０８０においては、センサからの蓄積データの読み出しを行う。Ｓ２０９０においては、Ｓ２０８０で読み出した蓄積データより指標像を抽出し、Ｓ２１００においては、Ｓ２０８０で読み出した蓄積データより被写体像の抽出を行う。
【０１１８】
Ｓ２１１０においては、抽出した指標像より補正量の演算を行い、Ｓ２１２０においては、抽出した被写体像より焦点ずれ量の演算処理を行う。
【０１１９】
Ｓ２１３０においては、Ｓ２１１０で演算した補正量とＳ２１２０で求めた焦点ずれ量より、実際のずれ量であるレンズ駆動量の演算処理を行う。
【０１２０】
Ｓ２１４０においては、撮像装置の焦点状態が合焦状態であるか否かの判定を行っている。Ｓ２１４０おいて、合焦状態では無いと判定された場合には、Ｓ２１５０に進む。Ｓ２１５０においては、撮像光学系の駆動を行い、Ｓ２０２０に戻り、再度焦点状態の検出を行う。
【０１２１】
Ｓ２１４０において、合焦状態であると判定された場合には、状態を保持し、メインルーチンに復帰する。
【０１２２】
（第三の補正量検出動作）
図１２は、本実施例の撮像装置における指標手段の検出をレンズ駆動中に行う焦点検出割り込み処理を示すフローチャートである。
【０１２３】
図１２においては、レンズ駆動中に指標部材の検出を行う場合を示しており、まず、Ｓ１２０００にて、レリーズスイッチが第一ストロークまで押し込まれ、撮像装置が撮影準備状態に設定されているか否かの判定を行っている。Ｓ１２０００において、撮影準備状態に設定されていないと判定された場合には、本割り込み処理をキャンセルしメインルーチンに復帰する。Ｓ１２０００において、撮影準備状態に設定されていると判定された場合には、次のＳ１２０１０に進む。
【０１２４】
Ｓ１２０１０においては、後述する焦点状態検出割り込み処理を実行し、撮像装置の焦点状態の検出を行い、Ｓ１２０１５に進む。Ｓ１２０１５においては、検出されたデフォーカス量が複数あるか否かの判定を行っている。Ｓ１２０１５において、検出されたデフォーカス量が単一であると判定された場合には、Ｓ１２０２０に進む。Ｓ１２０１５において、デフォーカス量が複数存在していると判定された場合には、Ｓ１２０１６に進む。Ｓ１２０１６においては、複数存在しているデフォーカス量の中から、一つのデフォーカス量を選択し、Ｓ１２０２０に進む。
【０１２５】
Ｓ１２０２０においては、Ｓ１２０１０において検出されたデフォーカス量に基づき、レンズの駆動を開始し、Ｓ１２０３０に進む。Ｓ１２０３０においては、後述する指標手段検出割り込み処理を実行し、指標手段の検出を行い、Ｓ１２０４０に進む。Ｓ１２０４０においては、Ｓ１２０２０にて開始したレンズ駆動を、Ｓ１２０１０にて検出したデフォーカス量に対して、Ｓ１２０３０において検出した補正量を適応し、実際のレンズ駆動量を補正する。
【０１２６】
Ｓ１２０５０においては、レンズ駆動が完了しているか否かの判定を行う。Ｓ１２０５０において、レンズ駆動が完了していないと判定された場合には、再度、レンズ駆動が完了しているか否かの判定を行う。Ｓ１２０５０においてねレンズ駆動が完了していると判定された場合には、Ｓ１２０６０に進む。Ｓ１２０６０においては、レンズの駆動を停止し、Ｓ１２０７０に進む。Ｓ１２０７０においては、Ｓ１２０１０において実行した焦点状態検出割り込み処理を実行し、レンズ駆動完了後の焦点状態の検出を行っている。Ｓ１２０８０においては、Ｓ１２０３０にて検出した補正量をＳ１２０７０にて検出したデフォーカス量に適応し、合焦判定に用いるデフォーカス量を演算している。
【０１２７】
Ｓ１２０９０においては、Ｓ１２０８０にて算出したデフォーカス量を評価し、合焦状態であるか否かの判定をしている。Ｓ１２０９０において、合焦状態では無いと判定された場合には、再度、焦点検出割り込み処理を実行する。Ｓ１２０９０において、合焦状態であると判定された場合には、本割り込み処理の実行を停止しメインルーチンに復帰する。
【０１２８】
（焦点状態検出割り込み処理）
図１３は、撮像装置の焦点状態を検出する割り込み処理を示すフローチャートである。
【０１２９】
図１３においては、被写体像を検出しデフォーカス量の演算をしており、Ｓ２２００において、複数存在している検出視野の中から、今回検出に用いる検出視野の抽出を行う。Ｓ２２１０においては、Ｓ２２００において抽出された検出視野について、センサの蓄積制御を開始する。
【０１３０】
Ｓ２２２０においては、蓄積制御を行っている複数のセンサ上に蓄積されている被写体の像レベルが所定値以上であるか否かの判定を行っている。Ｓ２２２０において、被写体の像レベルが所定値に達していないと判定された場合には、再度、被写体像レベルの判定を行う。Ｓ２２２０において、被写体の像レベルが所定値以上であると判定された場合には、Ｓ２２３０に進む。Ｓ２２３０においては、Ｓ２２２０において被写体の像レベルが所定値以上であると判定されたセンサの蓄積制御を停止する。
【０１３１】
Ｓ２２４０においては、Ｓ２２００にて抽出した視野に対応する全センサの蓄積制御が完了しているか否かの判定を行っている。Ｓ２２４０にて全センサの蓄積制御が完了していないと判定された場合には、Ｓ２２２０に戻り、残りのセンサに対して被写体像レベルの判定を行う。Ｓ２２４０において全センサの蓄積制御が完了していると判定された場合には、Ｓ２２５０に進む。Ｓ２２５０においては、蓄積制御の終了したセンサから被写体像の読み出しを行い、Ｓ２２６０において、読み出した被写体像を基に各検出視野のデフォーカス量の演算を行い、元のルーチンに復帰する。
【０１３２】
（第一の指標手段検出割り込み処理）
図１４は、指標手段検出割り込み処理を示すフローチャートである。
【０１３３】
図１４においては、指標手段を表示し、指標の像を取得することで、補正量を演算しており、Ｓ２４００においては、焦点状態検出時に使用する様に設定されている検出視野の抽出を行い、Ｓ２４１０に進む。Ｓ２４１０においては、抽出された検出視野について、指標手段の表示を開始し、Ｓ２４２０に進む。Ｓ２４２０においては、指標手段の表示を開始したセンサの蓄積制御を開始する。Ｓ２４３０においては、蓄積制御を開始したセンサについて、指標手段の像レベルが所定値以上であるか否かの判定を行っている。Ｓ２４３０において、指標手段の像レベルが所定値に達していないと判定された場合には、再度、指標手段の像レベルの判定を行う。Ｓ２４３０において、指標手段の像レベルが所定値以上であると判定された場合には、Ｓ２４４０に進む。Ｓ２４４０においては、指標手段の像レベルが所定値以上と判定されたセンサについて、センサ蓄積制御を終了する。Ｓ２４５０においては、センサ蓄積制御が終了した検出視野に対応する指標手段の表示を終了する。
【０１３４】
Ｓ２４６０においては、全センサの蓄積が完了しているか否かの判定を行っている。Ｓ２４６０において全センサの蓄積制御が完了していないと判定された場合には、Ｓ２４３０に戻り、残りの指標手段の像レベルの判定を行う。Ｓ２４６０において、全センサの蓄積制御が完了していると判定された場合には、Ｓ２４７０に進む。Ｓ２４７０においては、蓄積制御の終了したセンサから指標手段の像の読み出しを行い、Ｓ２４８０において、読み出した指標手段の像を基に各検出視野の補正量の演算を行い、元のルーチンに復帰する。
【０１３５】
（第四の補正量検出動作）
図１５は、本実施例の撮像装置において、初期に指標手段の検出を行う焦点検出割り込み処理を示すフローチャートである。
【０１３６】
図１５においては、まず最初に指標部材の検出を行う場合が示されており、Ｓ２６００にて、レリーズスイッチが第一ストロークまで押し込まれ、撮像装置が撮影準備状態に設定されているか否かの判定を行っている。Ｓ２６００において、撮影準備状態に設定されていないと判定された場合には、本割り込み処理をキャンセルしメインルーチンに復帰する。Ｓ２６００において、撮影準備状態に設定されていると判定された場合には、次のＳ２６１０に進む。
【０１３７】
Ｓ２６１０においては、後述する指標手段検出割り込み処理を実行し、指標手段の検出を行い、Ｓ２６２０に進む。
【０１３８】
Ｓ２６２０にて、レリーズスイッチが第一ストロークまで押し込まれ、撮像装置が撮影準備状態に設定されているか否かの判定を行っている。Ｓ２６２０において、撮影準備状態に設定されていないと判定された場合には、本割り込み処理をキャンセルしメインルーチンに復帰する。Ｓ２６２０において、撮影準備状態に設定されていると判定された場合には、次のＳ２６３０に進む。
【０１３９】
Ｓ２６３０においては、図１３にて示した焦点状態検出割り込み処理を実行し、撮像装置の焦点状態の検出を行い、Ｓ２６４０に進む。Ｓ２６４０においては、検出されたデフォーカス量が複数あるか否かの判定を行っている。Ｓ２６４０において、検出されたデフォーカス量が単一であると判定された場合には、Ｓ２６６０に進む。Ｓ２６４０において、デフォーカス量が複数存在していると判定された場合には、Ｓ２６５０に進む。Ｓ２６５０においては、複数存在しているデフォーカス量の中から、一つのデフォーカス量を選択し、Ｓ２６６０に進む。
【０１４０】
Ｓ２６６０においては、Ｓ２６３０にて検出したデフォーカス量に対して、Ｓ２６１０において検出した補正量を適応し、実際のレンズ駆動量を補正する。
【０１４１】
Ｓ２６７０においては、Ｓ２６６０において算出したレンズ駆動量に基づき、レンズの駆動を開始し、Ｓ２６８０に進む。
【０１４２】
Ｓ２６８０においては、レンズ駆動が完了しているか否かの判定を行う。Ｓ２６８０において、レンズ駆動が完了していないと判定された場合には、再度、レンズ駆動が完了しているか否かの判定を行う。Ｓ２６８０において、レンズ駆動が完了していると判定された場合には、Ｓ２６９０に進む。
【０１４３】
Ｓ２６９０においては、レンズの駆動を停止し、Ｓ２７００に進む。Ｓ２７００においては、Ｓ２６１０において実行した焦点状態検出割り込み処理を実行し、レンズ駆動完了後の焦点状態の検出を行っている。Ｓ２７１０においては、Ｓ２６１０にて検出した補正量をＳ２７００にて検出したデフォーカス量に適応し、合焦判定に用いるデフォーカス量を演算している。
【０１４４】
Ｓ２７２０においては、Ｓ２７１０にて算出したデフォーカス量を評価し、合焦状態であるか否かの判定をしている。Ｓ２７２０において、合焦状態では無いと判定された場合には、再度、焦点検出割り込み処理を実行する。Ｓ２７２０において、合焦状態であると判定された場合には、本割り込み処理の実行を停止しメインルーチンに復帰する。
【０１４５】
（第五の補正量検出動作）
図１６は、被写体像により指標手段の表示位置を変化させる場合の焦点状態検出割り込み処理について示すフローチャートである。
【０１４６】
図１６においては、Ｓ３８００では、撮像装置に存在している測距視野の内、検出に使用する様に設定されている視野の抽出を行っている。Ｓ３８１０においては、Ｓ３８００において抽出した測距視野に対応したセンサの蓄積制御を開始する。
【０１４７】
Ｓ３８２０においては、センサ蓄積制御開始時からりの経過時間の判定を行っている。Ｓ３８２０において、所定時間経過していると判定された場合には、Ｓ３８３０に進む。Ｓ３８２０において、所定時間経過していないと判定された場合には、Ｓ３９００に進む。Ｓ３９００においては、センサーに蓄積されている被写体像の像レベルが所定値以上であるか否かの判定を行っている。Ｓ３９００において、被写体像レベルが所定値に達していないと判定された場合には、Ｓ３８２０に戻り、再度、センサ蓄積制御開始時からりの経過時間の判定を行う。Ｓ３９００において、被写体像の像レベルが所定値以上であると判定された場合には、Ｓ３９２０に進む。
【０１４８】
Ｓ３８３０においては、センサから蓄積像の読み出しを行い、Ｓ３８４０に進む。
【０１４９】
Ｓ３８４０においては、センサーに蓄積されている被写体像の像レベルが所定値以上であるか否かの判定を行っている。Ｓ３８４０において、被写体像レベルが所定値に達していないと判定された場合には、Ｓ３８５０に進む。Ｓ３８４０において、被写体像の像レベルが所定値以上であると判定された場合には、Ｓ３９２０に進む。
【０１５０】
Ｓ３８５０においては、Ｓ３８３０にて読み出した被写体像より、指標手段の表示領域の設定を行い、Ｓ３８６０に進む。Ｓ３８６０においては、Ｓ３８５０にて設定した指標手段を表示する表示輝度をＳ３８３０にて読み出した被写体像を用いて決定する。Ｓ３８７０においては、前記ステップにて決定した表示輝度及び表示位置に基づいて、検出比視野に対応した指標手段の表示を開始する。
【０１５１】
Ｓ３８８０においては、センサーに蓄積されている指標手段の像レベルが所定値以上であるか否かの判定を行っている。Ｓ３８８０において、指標手段の像レベルが所定値に達していないと判定された場合には、Ｓ３９１０に進む。Ｓ３８８０において、指標手段の像レベルが所定値以上であると判定された場合には、Ｓ３８９０に進む。
【０１５２】
Ｓ３８９０においては、指標手段の表示の停止を行い、Ｓ３９１０に進む。
【０１５３】
Ｓ３９１０においては、センサーに蓄積されている被写体像の像レベルが所定値以上であるか否かの判定を行っている。Ｓ３９１０において、被写体像レベルが所定値に達していないと判定された場合には、Ｓ３８８０に戻り、再度、指標手段の像レベル判定を行う。Ｓ３９１０において、被写体像の像レベルが所定値以上であると判定された場合には、Ｓ３９２０に進む。
【０１５４】
Ｓ３９２０においては、センサの蓄積制御を停止する。Ｓ３９３０においては、センサの蓄積データの読み出しを行う。
【０１５５】
Ｓ３９４０においては、今回の焦点検出動作において指標手段の検出が終了しているか否かの判定を行っている。Ｓ３９４０において、指標手段の検出が終了していると判定された場合には、Ｓ３９６０進む。Ｓ３９４０において、指標手段の検出が終了していないとはんていされた場合には、Ｓ３９５０に進む。
【０１５６】
Ｓ３９５０においては、指標手段検出割り込み処理を実行し、補正量を取得し、Ｓ３９９０に進む。
【０１５７】
Ｓ３９６０においては、Ｓ３９３０にて読み出しを行った蓄積データより、指標手段の像の抽出を行う。Ｓ３９７０においては、ＳＳ３９３０にて読み出しを行った蓄積データより、被写体像の抽出を行う。Ｓ３９８０においては、Ｓ３９６０にて抽出した指標手段の像より、補正量の演算を行う。
【０１５８】
Ｓ３９９０においては、被写体像より、焦点ズレ量の演算を行う。Ｓ４０００においては、前記ステップにて演算した、焦点ズレ量及び補正量より、レンズ駆動量の演算を行う。
【０１５９】
Ｓ４０１０においては、撮像装置の焦点状態が合焦状態であるか否かの判定を行っている。Ｓ４０１０おいて、合焦状態では無いと判定された場合には、Ｓ４０２０に進む。Ｓ４０２０においては、撮像光学系の駆動を行い、Ｓ３８１０に戻り、再度焦点状態の検出を行う。
【０１６０】
Ｓ４０１０において、合焦状態であると判定された場合には、状態を保持し、メインルーチンに復帰する。
【０１６１】
（第六の補正量検出動作）
図１７は、ミラーダウン中に指標手段の取り込みを行う撮像装置の連写動作を示すフローチャートである。
【０１６２】
図１７においては、ミラーダウン中に指標手段の取り込みを行う場合が示されており、まず、Ｓ１５００において、図１４で示す指標手段検出割り込み処理を行う。ここで、撮影初期の補正値の検出を行っている。Ｓ１５１０においては、焦点状態検出割り込み処理を実行し、デフォーカス量の検出を行う。Ｓ１５１４においては、前記ステップにて演算した、デフォーカス量及び補正量より、レンズ駆動量の演算を行う。
【０１６３】
Ｓ１５１５においては、撮像装置の焦点状態が合焦状態であるか否かの判定を行っている。Ｓ１５１５おいて、合焦状態では無いと判定された場合には、Ｓ１５１６に進む。Ｓ１５１６においては、撮像光学系の駆動を行い、Ｓ１５１０に戻り、再度焦点状態の検出を行う。Ｓ１５１５において、合焦状態であると判定された場合には、状態を保持し、Ｓ１５２０に進む。Ｓ１５２０においては、撮影準備動作としてのミラー待避動作を行っている。Ｓ１５３０では、撮像に用いる拘束を制限する絞り部材を設定値まで駆動している。Ｓ１５４０では、撮影準備動作が完了したか否かの判定を行っており、Ｓ１５４０において、撮影準備が完了していないと判定された場合には、再度Ｓ１５４０にて判定を行う。Ｓ１５４０において、撮影準備が完了していると判定された場合には、Ｓ１５５０にすすむ。Ｓ１５５０においては、撮像媒体により、被写体像の撮像を行う。撮像処理が完了するとＳ１５６０に進む。
【０１６４】
Ｓ１５６０においては、ミラー復帰動作を開始し、Ｓ１５７０において、絞り開放動作を開始する。Ｓ１５８０においては、図１４にて示す指標手段検出割り込み処理を行う。Ｓ１５８０における指標手段の検出は次の撮像に対しての補正量の算出シーケンスである。Ｓ１５９０においては、Ｓ１５６０にて開始したミラー復帰動作が完了しているか否かの判定を行っている。Ｓ１５９０において、ミラー復帰動作が完了していないと判定された場合には、再度、Ｓ１５９０において判定を行う。Ｓ１５９０においてミラー復帰動作が完了していると判定された場合には、Ｓ１６００に進む。Ｓ１６００においては、レリーズスイッチが継続しているか否かの判定を行っている。Ｓ１６００において、レリーズスイッチがオフしている場合には連写が完了しているのでメインルーチンへ戻る。Ｓ１６００において、レリーズスイッチが継続していると判定された場合には、Ｓ１５１０に戻り、次の撮像シーケンスを実行する。
【０１６５】
（第七の補正量検出動作）
図１８は、露光動作時に指標手段を検出する撮像装置の連写動作を示すフローチャートである。
【０１６６】
図１８においては、露光動作時に指標手段を検出する場合について示しており、まず、Ｓ３２００において、図１４で示す指標手段検出割り込み処理を行う。ここで、撮影初期の補正値の検出を行っている。Ｓ３２１０においては、焦点状態検出割り込み処理を実行し、デフォーカス量の検出を行う。Ｓ３２１４においては、前記ステップにて演算した、デフォーカス量及び補正量より、レンズ駆動量の演算を行う。
【０１６７】
Ｓ３２１５においては、撮像装置の焦点状態が合焦状態であるか否かの判定を行っている。Ｓ３２１５おいて、合焦状態では無いと判定された場合には、Ｓ３２１６に進む。Ｓ３２１６においては、撮像光学系の駆動を行い、Ｓ３２１０に戻り、再度焦点状態の検出を行う。Ｓ３２１５において、合焦状態であると判定された場合には、状態を保持し、Ｓ３２２０に進む。
【０１６８】
Ｓ３２２０においては、撮影準備動作としてのミラー待避動作を行っている。Ｓ３２３０では、撮像に用いる拘束を制限する絞り部材を設定値まで駆動している。Ｓ３２４０では、撮影準備動作が完了したか否かの判定を行っており、Ｓ３２４０において、撮影準備が完了していないと判定された場合には、再度Ｓ３２４０にて判定を行う。Ｓ３２４０において、撮影準備が完了していると判定された場合には、Ｓ３２５０にすすむ。Ｓ３２５０においては、撮像媒体により、被写体像の撮像処理を開始する。
【０１６９】
Ｓ３２６０においては、図１４にて示す指標手段検出割り込み処理を行う。Ｓ３２６０における指標手段の検出は次の撮像に対しての補正量の算出シーケンスである。
【０１７０】
Ｓ３２７０においては、撮像処理が完了しているか否かの判定を行っている。Ｓ３２７０において、撮像処理が完了していない場合には、再度、撮像処理が完了しているか判定を行う。Ｓ３２７０において、撮像処理が完了していると判定された場合には、Ｓ３２８０に進む。
【０１７１】
Ｓ３２８０においては、ミラー復帰動作を開始し、Ｓ３２９０において、絞り開放動作を開始する。
【０１７２】
Ｓ３３００においては、Ｓ３２８０にて開始したミラー復帰動作が完了しているか否かの判定を行っている。Ｓ３３００において、ミラー復帰動作が完了していないと判定された場合には、再度、Ｓ３３００において判定を行う。Ｓ３３００においてミラー復帰動作が完了していると判定された場合には、Ｓ３３１０に進む。Ｓ３３１０においては、レリーズスイッチが継続しているか否かの判定を行っている。Ｓ３３１０において、レリーズスイッチがオフしている場合には連写が完了しているのでメインルーチンへ戻る。Ｓ３３１０において、レリーズスイッチが継続していると判定された場合には、Ｓ３２１０に戻り、次の撮像シーケンスを実行する。
【０１７３】
上記各補正量検出動作における指標手段検出割り込み処理としては、以下の処理も適応することが出来る。
【０１７４】
（第二の指標手段検出割り込み処理）
図１９は、前回検出からの経過時間と温度の変化により指標手段検出を行うか否かの判定を行う指標手段検出割り込み処理を示すフローチャートである。
【０１７５】
図１９においては、Ｓ３０００において、温度検出手段により現在の温度を検出する。Ｓ３０１０においては、前回の温度検出値が存在しているか否かの判定を行っている。Ｓ３０１０において前回の温度検出値が存在している場合には、Ｓ３０２０に進む。Ｓ３０１０において、前回の温度検出値が存在していない場合には、指標手段の検出を行うためにＳ３０５０に進む。
【０１７６】
Ｓ３０２０においては、前回の指標手段検出時の温度と今回の検出温度の差が所定値以上異なるか否かの判定を行っている。Ｓ３０２０において、温度差が所定値以上であると判定された場合には、指標手段の検出を行うためにＳ３０５０に進む。Ｓ３０２０において、温度差が所定値以内であると判定された場合には、Ｓ３０３０に進む。
【０１７７】
Ｓ３０３０においては、前回の指標手段の検出からの経過時間が所定値以上であるか否かの判定を行っている。Ｓ３０３０において、経過時間が所定値以上であると判定された場合には、指標手段の検出を行うために、Ｓ３０５０に進む。Ｓ３０３０において、前回の検出からの経過時間が所定値以内であると判定された場合には、Ｓ３０４０に進む。Ｓ３０４０においては、前回検出した補正値を保持し、元のルーチンに復帰する。
【０１７８】
Ｓ３０５０においては、焦点状態検出時に使用する様に設定されている検出視野の抽出を行い、Ｓ３０６０に進む。Ｓ３０６０においては、抽出された検出視野について、指標手段の表示を開始し、Ｓ３０７０に進む。Ｓ３０７０においては、指標手段の表示を開始したセンサの蓄積制御を開始する。Ｓ３０８０においては、蓄積制御を開始したセンサについて、指標手段の像レベルが所定値以上であるか否かの判定を行っている。Ｓ３０８０において、指標手段の像レベルが所定値に達していないと判定された場合には、再度、指標手段の像レベルの判定を行う。Ｓ３０８０において、指標手段の像レベルが所定値以上であると判定された場合には、Ｓ３０９０に進む。Ｓ３０９０においては、指標手段の像レベルが所定値以上と判定されたセンサについて、センサ蓄積制御を終了する。Ｓ３１００においては、センサ蓄積制御が終了した検出視野に対応する指標手段の表示を終了する。
【０１７９】
Ｓ３１１０においては、全センサの蓄積が完了しているか否かの判定を行っている。Ｓ３１１０において全センサの蓄積制御が完了していないと判定された場合には、Ｓ３０８０に戻り、残りの指標手段の像レベルの判定を行う。Ｓ３１１０において、全センサの蓄積制御が完了していると判定された場合には、Ｓ３１２０に進む。Ｓ３１２０においては、蓄積制御の終了したセンサから指標手段の像の読み出しを行い、Ｓ３１３０において、読み出した指標手段の像を基に各検出視野の補正量の演算を行い、元のルーチンに復帰する。
【０１８０】
図１９にて、第二の指標手段検出割り込み処理を示してきたが、図１４で示した指標手段検出割り込み処理と置き換えて適応可能であるのは言うまでもない。
【０１８１】
（第三の指標手段検出割り込み処理）
図２０は、指標手段の表示について背景の輝度に合わせた輝度変調を行う処理に関するフローチャートである。
【０１８２】
図２０においては、指標手段の輝度を４段階に変化させる場合について示している。
【０１８３】
Ｓ３４９０においては、焦点状態検出時に使用する様に設定されている検出視野の抽出を行い、Ｓ３５００に進む。Ｓ３５００においては、被写体輝度の検出を行っている。Ｓ３５１０においては、検出を行った輝度について第一のレベル判定を行っている。Ｓ３５１０において、被写体の輝度レベルが第一の所定値以上であると判定された場合には、Ｓ３５２０に進む。Ｓ３５１０において、被写体の輝度レベルが第一の所定値以内であると判定された場合には、Ｓ３５３０に進む。
【０１８４】
Ｓ３５２０においては、被写体輝度について第二のレベル判定を行っている。Ｓ３５２０において、被写体の輝度レベルが第二の所定値以上であると判定された場合には、Ｓ３５４０に進む。Ｓ３５４０では、指標手段の表示レベルとして輝度レベル１を設定し、Ｓ３５８０に進む。Ｓ３５２０において、被写体の輝度レベルが第二の所定値以内であると判定された場合には、Ｓ３５５０に進む。Ｓ３５５０においては、指標手段の表示レベルとして輝度レベル２を設定し、Ｓ３５８０にすすむ。
【０１８５】
Ｓ３５３０においては、被写体輝度に付いて第三のレベル判定を行っている。Ｓ３５３０において、被写体の輝度レベルが第三の所定値以上であると判定された場合には、Ｓ３５６０に進む。Ｓ３５６０においては、指標手段の表示レベルとして、輝度レベル３を設定し、Ｓ３５８０に進む。Ｓ３５３０において、被写体の輝度レベルが所定値以内であると判定された場合には、指標手段の表示レベルとして輝度レベル４を設定し、Ｓ３５８０に進む。
【０１８６】
Ｓ３５８０においては、指標手段の表示レベルに元づいて指標手段の表示を開始する。
【０１８７】
Ｓ３５９０においては、指標手段の表示を開始したセンサの蓄積制御を開始する。Ｓ３６００においては、蓄積制御を開始したセンサについて、指標手段の像レベルが所定値以上であるか否かの判定を行っている。Ｓ３６００において、指標手段の像レベルが所定値に達していないと判定された場合には、再度、指標手段の像レベルの判定を行う。Ｓ３６００において、指標手段の像レベルが所定値以上であると判定された場合には、Ｓ３６１０に進む。Ｓ３６１０においては、指標手段の像レベルが所定値以上と判定されたセンサについて、センサ蓄積制御を終了する。Ｓ３６２０においては、センサ蓄積制御が終了した検出視野に対応する指標手段の表示を終了する。
【０１８８】
Ｓ３６３０においては、全センサの蓄積が完了しているか否かの判定を行っている。Ｓ３６３０において全センサの蓄積制御が完了していないと判定された場合には、Ｓ３６００に戻り、残りの指標手段の像レベルの判定を行う。Ｓ３６３０において、全センサの蓄積制御が完了していると判定された場合には、Ｓ３６４０に進む。Ｓ３６４０においては、蓄積制御の終了したセンサから指標手段の像の読み出しを行い、Ｓ３６５０において、読み出した指標手段の像を基に各検出視野の補正量の演算を行い、元のルーチンに復帰する。
【０１８９】
図２０にて、第三の指標手段検出割り込み処理を示してきたが、図１４で示した指標手段検出割り込み処理と置き換えて適応可能であるのは言うまでもない。
【０１９０】
（メインスイッチ検出処理）
以下に、図２１を用いて、メインスイッチ検出割り込み処理について示す。
【０１９１】
図２１においては、撮像装置がメインスイッチオフ状態に置いて実行されるメインスイッチ検出処理の一例が示されており、Ｓ４２００においては、メインスイッチがオンになったか否かの判定を行っている。Ｓ４２００において、メインスイッチがオフの状態であると判定された場合には、メインルーチンに復帰する。Ｓ４２００において、メインスイッチがオン状態に設定されたと判定された場合には、次のＳ４２１０に進む。Ｓ４２１０においては、カメラの設定値の読み込みを行い、カメラの初期設定を行い、Ｓ４２２０に進む。Ｓ４２２０においては、前述の指標手段検出割り込み処理を行い、補正量の演算を行う。そして、メインルーチンに復帰する。
【０１９２】
上記実施例において示してきた撮像装置は、光学的に記録する物だけでなく、電気的、磁気的に記録するもので構成される撮像手段を備える場合に対しても有効であることは言うまでもない。
【図面の簡単な説明】
【０１９３】
【図１】本発明の焦点検出装置を含む撮像装置の中央断面図。
【図２】撮像装置の構成を示すブロック図。
【図３】焦点検出装置の構成を示す分解斜視図。
【図４】本構成を含む焦点検出ユニットの赤外カットフィルター装着図。
【図５】本構成を実現する焦点検出装置の原理を説明する光路展開図。
【図６】センサ上に形成される画像を示す図。
【図７】焦点検出装置の検出手段であるセンサの別の一例を示す図。
【図８】指標手段としてＬＥＤ素子を配置した場合の焦点検出装置の原理を説明する光路展開図。
【図９】指標手段としてＬＥＤ素子を配置した場合の焦点検出装置の原理を説明する断面図。
【図１０】撮像装置の焦点検出割り込み処理を示すフローチャート。
【図１１】指標手段の表示を行う焦点検出割り込み処理を示すフローチャート。
【図１２】指標手段の検出をレンズ駆動中に行う焦点検出割り込み処理を示すフローチャート。
【図１３】焦点状態検出割り込み処理を示すフローチャート。
【図１４】指標手段検出割り込み処理を示すフローチャート。
【図１５】初期に指標手段の検出を行う焦点検出割り込み処理を示すフローチャート。
【図１６】被写体像により指標手段の表示位置を変化させる場合の焦点状態検出割り込み処理について示すフローチャート。
【図１７】ミラーダウン中に指標手段の取り込みを行う撮像装置の連写動作を示すフローチャート。
【図１８】露光動作時に指標手段を検出する撮像装置の連写動作を示すフローチャート。
【図１９】前回検出からの経過時間と温度の変化により指標手段検出を行うか否かの判定を行う指標手段検出割り込み処理を示すフローチャート。
【図２０】指標手段の表示について背景の輝度に合わせた輝度変調を行う処理に関するフローチャート。
【図２１】メインスイッチ検出割り込み処理。
【符号の説明】
【０１９４】
１  マイクロプロセッサ
３  測距回路
９  振れ検出回路
１３  表示装置
２１  指標表示回路
２２  補正量演算回路
２３  温度検出回路
２４  指標表示位置回路
２５  指標表示輝度回路
１０１４  視野マスク開口部
１４００  有機エレクトロルミネッセンス素子
１４１０  指標パターン
１５００  ＬＥＤ素子
【図１】
2006243349.tif 000003
【図２】
2006243349.tif 000004
【図３】
2006243349.tif 000005
【図４】
2006243349.tif 000006
【図５】
2006243349.tif 000007
【図６】
2006243349.tif 000008
【図７】
2006243349.tif 000009
【図８】
2006243349.tif 000010
【図９】
2006243349.tif 000011
【図１０】
2006243349.tif 000012
【図１１】
2006243349.tif 000013
【図１２】
2006243349.tif 000014
【図１３】
2006243349.tif 000015
【図１４】
2006243349.tif 000016
【図１５】
2006243349.tif 000017
【図１６】
2006243349.tif 000018
【図１７】
2006243349.tif 000019
【図１８】
2006243349.tif 000020
【図１９】
2006243349.tif 000021
【図２０】
2006243349.tif 000022
【図２１】
2006243349.tif 000023